(57)【要約】      （修正有）【課題】外部空気を導入し、頭部を快適でドライかつさわやかにできる太陽光追跡機能を備えるソーラーエネルギー通風帽を提供する。【解決手段】頭部に被せる内帽体１、及び内帽体１に可動状に接続する外帽体２を備える。内帽体１は網状にし、表面には複数の定位リブ１１を設け、外帽体２の頂点縁にはファン２３及びサーボモータ２４を設置する。サーボモータ２４は内帽体１の頂点縁に可動状に接続する。外帽体２の帽子つば２５には光学測定器２６、ソーラーパネル２７、制御回路を設置し、ソーラーパネル２７をファン２３及びサーボモータ２４に連接する。帽子を被っている時、光学測定器２６により陽光を探知し、サーボモータ２４を駆動して、外帽体２を回転させてソーラーパネル２７は陽光に正面対応させ、ファン２３に十分な電源を供給し、外部空気を導入し、内帽体１を通じて頭部に発散し対流を形成する。【選択図】図３
0003188210.tif 000002
【実用新案登録請求の範囲】
【請求項１】
太陽光追跡機能を備えるソーラーエネルギー通風帽は、頭部に被せる内帽体、及び該内帽体に可動状に接続する外帽体を備え、
該内帽体は、網状に設置し、
該外帽体の頂点縁には、ファン及びサーボモータを設置し、
該サーボモータは、該内帽体の頂点縁に可動状に接続し、
該外帽体の帽子つばには、光学測定器及びソーラーパネル及び制御回路を設置し、これにより該ソーラーパネルは、該ファン及び該サーボモータに連接し、
該ソーラーパネルにより陽光を吸収し、光エネルギーを、電気エネルギーに転換し、該制御回路により該ファンを駆動して、外部空気を導入し、該内帽体より頭部へと発散し、対流を形成し、
こうして、頭部はさらに快適で、ドライかつさわやかとなり、
しかも、該光学測定器は、陽光を探知することができ、該サーボモータを駆動して、該外帽体を該内帽体に沿って回転させ、これにより該ソーラーパネルはいつでも陽光に正面対応できるため、充分に発電して、ファンに電源を供給でき、該ファンは正常な作動を保つことを特徴とする太陽光追跡機能を備えるソーラーエネルギー通風帽。
【請求項２】
前記内帽体の表面には、頂点部から下方へと延伸する複数の定位リブを設置し、これにより該内帽体は形を保持することを特徴とする請求項１に記載の太陽光追跡機能を備えるソーラーエネルギー通風帽。
【請求項３】
前記内帽体の縁には、調整構造を設置し、
これにより、該内帽体の幅や緩みを調整することを特徴とする請求項１に記載の太陽光追跡機能を備えるソーラーエネルギー通風帽。
【請求項４】
前記外帽体の頂点縁には、貫通孔を設置し、
該貫通孔下縁には、固定台を設置し、該ファン及び該サーボモータを、該固定台に設置することを特徴とする請求項１に記載の太陽光追跡機能を備えるソーラーエネルギー通風帽。
【考案の詳細な説明】
【技術分野】
【０００１】
本考案は太陽光追跡機能を備えるソーラーエネルギー通風帽に関し、特に外部空気を導入し、頭部をより快適に、ドライでさわやかにでき、しかもソーラーパネルを陽光に向わせることができ、こうして充分に発電し、ファンに電源を供給できる太陽光追跡機能を備えるソーラーエネルギー通風帽に関する。
【背景技術】
【０００２】
太陽が強烈に照りつける夏、頭部を直射日光から守るため、多くの人は帽子を被り、太陽光を遮ろうとする。
【０００３】
しかし、帽子を被ると、従来の帽子は通風が良くないため、蒸し暑く感じる人が多い。これにより、頭はどんどん汗をかき、頭髮が汗で濡れてしまうことさえある。
帽子に小型ファンを取り付け、外部空気を導入して対流を形成すれば、通風の問題を改善することはできるが、ファンが使用する電源をどうするかという課題が残る。
【０００４】
従来の技術では、ソーラーパネルにより陽光を吸収し、電気エネルギーに転換することができるものもある。
しかし、使用者は移動するため、ソーラーパネルが陽光を受け止められない状況もあり、ファンの正常作動を維持するのは難しい。
本考案は、従来のソーラーエネルギー通風帽の上記した欠点に鑑み、ソーラーパネルを陽光に向わせ、充分な発電でファンに電源を供給できるよう考案されたものである。
【先行技術文献】
【特許文献】
【０００５】
【特許文献１】特開２０００−３３６５１４号公報
【特許文献２】特開平７−３５１２号公報
【特許文献３】特開平６−１７３４０９号公報
【考案の概要】
【考案が解決しようとする課題】
【０００６】
本考案が解決しようとする課題は、帽子を被っている時、外部空気を導入し、頭部をより快適に、ドライでさわやかにでき、しかも帽子に設置するソーラーパネルは陽光に正面対応できるため、充分に発電し、ファンが必要とする電源を供給することができる太陽光追跡機能を備えるソーラーエネルギー通風帽を提供することである。
【課題を解決するための手段】
【０００７】
上記課題を解決するため、本考案は下記の太陽光追跡機能を備えるソーラーエネルギー通風帽を提供する。
太陽光追跡機能を備えるソーラーエネルギー通風帽は、頭部に被せる内帽体、及び該内帽体に可動状に接続する外帽体を備え、
該内帽体は、網状に設置し、表面には複数の定位リブを設置し、
該外帽体の頂点縁には、ファン及びサーボモータを設置し、これにより該サーボモータは、該内帽体の頂点縁に可動状に接続し、該外帽体の帽子つばには光学測定器、ソーラーパネル、制御回路を設置し、該ソーラーパネルを該ファン及び該サーボモータに連接し、
帽子を被っている時、該光学測定器により陽光を探知し、該サーボモータを駆動して、外帽体を回転させ、該ソーラーパネルは陽光に正面対応でき、
こうして、充分に発電して、該ファンに電源を供給でき、該ファンにより外部空気を導入し、該内帽体を通じて頭部に発散し、対流を形成し、こうして頭部をより快適に、ドライでさわやかにすることができ、
該外帽体の頂点縁には、貫通孔を設置し、該貫通孔下縁には、固定台を設置し、該ファン及び該サーボモータは該固定台に設置する。
【考案の効果】
【０００８】
本考案の太陽光追跡機能を備えるソーラーエネルギー通風帽により、帽子を被っている時に外部空気を導入し、頭部をより快適でドライかつさわやかにでき、しかも帽子に設置するソーラーパネルは陽光に正面対応できるため、充分に発電してファンが必要とする電源を供給することができる。
【図面の簡単な説明】
【０００９】
【図１】本考案の立体図である。
【図２】本考案の立体分解図である。
【図３】本考案の断面図である。
【図４】本考案の使用状態図である。
【図５】本考案の動作状態図である。
【考案を実施するための形態】
【００１０】
以下に図面を参照しながら本考案を実施するための最良の形態について詳細に説明する。
【実施例】
【００１１】
図１、２、３は、本考案の立体図、立体分解図、断面図である。図に示すように、本考案は、頭部に被せる内帽体１、及び該内帽体１に可動状に接続する外帽体２を備える。
【００１２】
該内帽体１は、網状に設置し、その表面には、頂点部から下方へと延伸する複数の定位リブ１１を設置し、これにより内帽体１は形を保ち、その後縁には、調整構造１２（如従来のフック及びマジックテープ（登録商標））を設置し、これにより該内帽体１の幅や緩みを調整する。
【００１３】
該外帽体２の頂点縁には、貫通孔２１を設置し、該貫通孔２１下縁には、固定台２２，を設置する。該固定台２２には、ファン２３及びサーボモータ２４を設置し、これにより該サーボモータ２４は、該内帽体１の頂点縁に可動状に接続される。
【００１４】
前記外帽体２の帽子つば２５には、光学測定器２６、ソーラーパネル２７、制御回路２８を設置し、該ソーラーパネル２７は、該ファン２３及び該サーボモータ２４に連接する。
【００１５】
前記構成部材の組合せにより、太陽光追跡機能を備えるソーラーエネルギー通風帽を構成し、こうして帽子を被っている時、該ソーラーパネル２７により陽光を吸収し、光エネルギーを、電気エネルギーに転換し、該制御回路２８により該ファン２２を駆動し、外部空気を、該通気孔２１から導入し、該内帽体１より頭部へと発散し、対流を形成し、こうして頭部をより快適に、ドライでさわやかにすることができる。
【００１６】
しかも、該光学測定器２６は、陽光を探知でき、該サーボモータ２４を駆動して、該外帽体２を該内帽体１に沿って回転させ、これにより該ソーラーパネル２７はいつでも陽光に正面対応できるため、充分に発電して、ファン２３に電源を供給でき、こうして該ファン２３は正常な作動を保持でき、頭部は長時間にわたり快適で、ドライかつさわやかな状態を保持することができる。
【００１７】
図４、５は、本考案の使用状態図及び動作状態図である。図２、３に合わせて図４、５に示すように、本考案の使用時には、該内帽体１を頭部に被せ、後縁の調整構造１２により内帽体１の幅や緩みを調整できるため、さまざまな頭の形の使用者が使用可能で、該外帽体２により遮光の効果を形成することができる。
【００１８】
該外帽体２帽子つば２５に設置するソーラーパネル２７は、太陽光を吸収し、光エネルギーを、電気エネルギーに転換し、該制御回路２８により該ファン２３を駆動する。
【００１９】
該ファン２３の回転により、外部の空気は、該通気孔２１より絶えず内部へと導入され、該内帽体１と通じて頭部へと発散され、次に外へと排出されることで、対流を形成する。こうして、蒸し暑くこもった空気が、使用者の頭部にたまることはなく、頭部をより快適に、ドライでさわやかにすることができる。
【００２０】
図５に示すように、本考案のファン２２の電源は、ソーラーパネル２７により供給するため、該ソーラーパネル２７は最大の転換効率を発揮するため、陽光に正面対応する必要がある。
【００２１】
本考案では、該外帽体２帽子つば２５に設置する光学測定器２６により、陽光の強度を絶えず探知し、信号を制御回路２８（図４参照）に伝送し、該制御回路２８により判読後、該光学測定器２６の探知信号に基づき、該サーボモータ２４の正回転或いは反回転を駆動する。
【００２２】
これにより、該外帽体２は、該内帽体１に沿って左、右に回転し、該帽子つば２５に設置するソーラーパネル２７は、常に太陽に正面対応し、光エネルギーと電気エネルギーの最大転換効率を達成することができる。
【００２３】
こうして、該ファン２３は正常な作動状態を保持し、外部の空気を絶えず導入し、内帽体１を通じて頭部に発散し、さらに外に排出して対流を形成し、頭部をより快適に、ドライでさわやかにすることができ、電気エネルギーが不足し、該ファン２３が作動しないというような状況は発生しない。
【００２４】
上記した本考案は、太陽光追跡の設計により、ソーラーパネル２７は最良の電気エネルギー転換効率を維持でき、充電電池を使用しなくても（一般には電池を設置するため帽子が重くなる）、帽子を快適に被ることができ、しかも電力供給の問題を心配する必要がない。
【００２５】
本考案は、ソーラーパネル、光学測定器、ファン、サーボモータを設置する外帽体を、外帽体下方の内帽体に対応させて可動状に接続することで、太陽光追跡機能を備えるソーラーエネルギー通風帽を形成し、帽子を被っている時、外部空気を導入し、頭部をより快適に、ドライでさわやかにでき、しかも帽子に設置するソーラーパネルは陽光に正面対応できるため、充分に発電し、ファンが必要とする電源を供給することができる。
【００２６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２８】
１  内帽体
１１  定位リブ
１２  調整構造
２  外帽体
２１  貫通孔
２２  固定台
２３  ファン
２４  サーボモータ
２５  帽子つば
２６  光学測定器
２７  ソーラーパネル
２８  制御回路
【図１】
0003188210.tif 000003
【図２】
0003188210.tif 000004
【図３】
0003188210.tif 000005
【図４】
0003188210.tif 000006
【図５】
0003188210.tif 000007